(57)【要約】      （修正有）【課題】被駆動物との異なる距離に対応して垂直駆動を行うことが可能な工具ジョイントを提供する。【解決手段】ケース１１と、第１回転部材１２と、第２回転部材１３と、を備え、ケース内に、第１通路と、第２通路とが形成され、第１通路と第２通路とは、互いに垂直であり、一端が連通し、他端がそれぞれケースの外部と連通し、第１回転部材の両端は、それぞれ、第１ベベルギヤと第１駆動部であり、第２回転部材の両端は、それぞれ、第２ベベルギヤと第２駆動部であり、第１ベベルギヤと第２ベベルギヤとは、互いに噛み合って、第１回転部材と第２回転部材とを連動して回転できるジョイント本体１０と、外スリーブ２１と、駆動ロッド２２と、を備え、外スリーブは、駆動ロッドに相対的に回転可能に嵌合されており、駆動ロッドの両端は、それぞれ、第１連接端と第２連接端である駆動部材２０とを備える。【選択図】図１
0003224493.tif 000002
【実用新案登録請求の範囲】
【請求項１】
ケースと、第１回転部材と、第２回転部材と、を備え、前記ケース内に、第１通路と、第２通路とが形成され、前記第１通路と前記第２通路とは、互いに垂直であり、一端が連通し、他端がそれぞれ前記ケースの外部と連通し、前記第１回転部材の両端は、それぞれ、第１ベベルギヤと第１駆動部であり、前記第２回転部材の両端は、それぞれ、第２ベベルギヤと第２駆動部であり、前記第１回転部材は、前記第１通路に回転可能に設けられており、前記第２回転部材は、前記第２通路に回転可能に設けられており、前記第１ベベルギヤと前記第２ベベルギヤとは、互いに噛み合って、前記第１回転部材と前記第２回転部材とを連動して回転できるジョイント本体と、
外スリーブと、駆動ロッドと、を備え、前記外スリーブは、前記駆動ロッドに相対的に回転可能に嵌合されており、前記駆動ロッドの両端は、それぞれ、第１連接端と第２連接端であり、前記第１連接端は、前記第２駆動部に対して相対的に回転不能であるように連接し、第２駆動部に脱着することができる駆動部材と、
を備えることを特徴とする工具ジョイント。
【請求項２】
更に、ロック機構を備え、前記ロック機構は、前記ジョイント本体の前記ケースと、前記駆動部材の前記外スリーブとに設けられており、選択的に前記ジョイント本体の前記ケースと前記駆動部材の前記外スリーブとを相対的に回転不能に固定することを特徴とする、請求項１に記載の工具ジョイント。
【請求項３】
前記ロック機構は、ロック部材と、制限溝と、を備え、前記ロック部材は、前記ジョイント本体の前記ケースの前記第２通路に近接する開口にスライド可能に設けられており、選択的に一部が前記ジョイント本体の前記ケースの外部に位置することができ、前記制限溝は、前記駆動部材の前記外スリーブの前記第１連接端に近接する外壁に設けられており、前記第１連接端は前記第２駆動部と連接し、前記ロック部材がスライドして一部が前記制限溝内に位置する場合には、前記ジョイント本体の前記ケースと前記駆動部材の前記外スリーブとは、相対的に回転できないことを特徴とする、請求項２に記載の工具ジョイント。
【請求項４】
前記駆動部材は、更に、前スリーブを備え、前記前スリーブは、一部が前記外スリーブに差し込まれており、一部が前記駆動ロッドの前記第１連接端に嵌め設けられており、前記前スリーブは、前記ジョイント本体の前記ケースの第２通路に差し込んで、前記第２駆動部外に嵌め設けられていることを特徴とする、請求項１に記載の工具ジョイント。
【請求項５】
前記駆動ロッドの前記第１連接端は多角穴であり、前記第２回転部材の前記第２駆動部は、多角柱であり、径方向に沿って規制溝が設けられており、前記前スリーブは、前記駆動部材の前記外スリーブにスライド可能に設けられており、前記駆動ロッドに対して軸方向に沿ってスライド可能であり、前記駆動部材は、更に、規制機構を備え、前記規制機構は、規制部材と、規制穴と、を備え、前記規制穴は、径方向に沿って前記駆動ロッドの前記第１連接端に差し込まれ、前記規制部材は、前記駆動ロッドと前記前スリーブとの間に設けられており、前記前スリーブが前記駆動ロッドに沿ってスライドするときに、前記規制部材は、選択的に前記規制穴を経由して前記駆動ロッドの内部に伸張及び進入して、更に、前記第２駆動部の前記規制溝に伸び、ひいては前記第２駆動部が前記駆動ロッドに位置決めされることを特徴とする、請求項４に記載の工具ジョイント。
【請求項６】
前記駆動部材は、更に、弾性部材を備え、前記弾性部材は、前記前スリーブと前記駆動ロッドとの間に設けられており、前記前スリーブを外へ付勢することを特徴とする、請求項５に記載の工具ジョイント。
【請求項７】
前記前スリーブの内壁には、周方向に沿って伸びる収容溝が設けられており、前記規制部材は弾性付きのＣリングであり、前記前スリーブは、より外側に近接する第１位置と、より内側に近接する第２位置との間にスライドすることができ、前記第１位置へ付勢され、前記前スリーブが前記第１位置に位置するときに、前記収容溝は前記規制穴からずれて、前記規制部材の一部が前記規制穴を経由して前記駆動ロッドの内部に伸張及び進入し、前記前スリーブが前記第２位置に位置するときに、前記収容溝は前記規制穴の位置に対応して、前記規制部材の一部が、前記収容溝に進入し、前記駆動ロッドの内部に伸張及び進入しないことを特徴とする、請求項６に記載の工具ジョイント。
【請求項８】
前記規制穴は、前記第１連接端の多角穴における、隣接する二つの面に跨ることを特徴とする、請求項７に記載の工具ジョイント。
【請求項９】
前記第１駆動部は多角穴であり、前記第２駆動部は多角柱であり、前記第１連接端は多角穴であり、前記第２連接端は多角柱であることを特徴とする、請求項１から４のいずれか１項に記載の工具ジョイント。
【請求項１０】
前記駆動ロッドの前記第１連接端と前記第２連接端との間の部分はフレキシブルであることを特徴とする、請求項１から４のいずれか１項に記載の工具ジョイント。
【考案の詳細な説明】
【技術分野】
【０００１】
本考案は、工具ジョイントに関し、特に、垂直駆動が可能な工具ジョイントに関するものである。
【背景技術】
【０００２】
一般的には、エア駆動工具などの駆動工具の駆動方向は直線的であるため、駆動工具は、被駆動物と同じ直線に配列しないと駆動できない。被駆動物の近傍の空間が狭い場合には、作業を行うことが難しい。このとき、スパナなどの手工具で駆動することが必要となる。
【０００３】
このような問題を解決するために、例えば台湾特許ＴＷＩ６２６１３２号の垂直駆動工具は、二つのベベルギヤにより、駆動工具の駆動端の駆動方向を曲げて、垂直駆動を行うことができる。
【０００４】
しかし、このような工具によれば、その長さが一定であり、被駆動物がより奥の箇所に位置すると、駆動工具は被駆動物に接触できない。駆動工具の長さを延伸すると、狭い空間での操作は不便である。すなわち、一つの駆動工具で各種の作業環境に適用することはできない。また、被駆動物の近傍の空間が直線的ではない場合には、駆動工具を被駆動物に押し付けて駆動することができない。
【先行技術文献】
【特許文献】
【０００５】
【特許文献１】台湾特許ＴＷＩ６２６１３２号公報
【考案の概要】
【考案が解決しようとする課題】
【０００６】
本考案の主な目的は、被駆動物との異なる距離に対応して垂直駆動を行うことが可能な工具ジョイントを提供することにある。
【課題を解決するための手段】
【０００７】
本考案に係る工具ジョイントによると、ケースと、第１回転部材と、第２回転部材と、を備え、ケース内に、第１通路と、第２通路とが形成され、第１通路と第２通路とは、互いに垂直であり、一端が連通し、他端がそれぞれケースの外部と連通し、第１回転部材の両端は、それぞれ、第１ベベルギヤと第１駆動部であり、第２回転部材の両端は、それぞれ、第２ベベルギヤと第２駆動部であり、第１回転部材は、第１通路に回転可能に設けられており、第２回転部材は、第２通路に回転可能に設けられており、第１ベベルギヤと第２ベベルギヤとは、互いに噛み合って、第１回転部材と第２回転部材とを連動して回転できるジョイント本体と、外スリーブと、駆動ロッドと、を備え、外スリーブは、駆動ロッドに相対的に回転可能に嵌合されており、駆動ロッドの両端は、それぞれ、第１連接端と第２連接端であり、第１連接端は、第２駆動部に対して相対的に回転不能であるように連接し、第２駆動部に脱着することができる駆動部材と、
を備えることを特徴とする。
【０００８】
本考案に係る工具ジョイントによると、更に、ロック機構を備え、ロック機構は、ジョイント本体のケースと、駆動部材の外スリーブとに設けられており、選択的にジョイント本体のケースと駆動部材の外スリーブとを相対的に回転不能に固定することを特徴とする。
【０００９】
本考案に係る工具ジョイントによると、ロック機構は、ロック部材と、制限溝と、を備え、ロック部材は、ジョイント本体のケースの第２通路に近接する開口にスライド可能に設けられており、選択的に一部がジョイント本体のケースの外部に位置することができ、制限溝は、駆動部材の外スリーブの第１連接端に近接する外壁に設けられており、第１連接端は第２駆動部と連接し、ロック部材がスライドして一部が制限溝内に位置する場合には、ジョイント本体のケースと駆動部材の外スリーブとは、相対的に回転できないことを特徴とする。
【００１０】
本考案に係る工具ジョイントによると、駆動部材は、更に、前スリーブを備え、前スリーブは、一部が外スリーブに差し込まれており、一部が駆動ロッドの第１連接端に嵌め設けられており、前スリーブは、ジョイント本体のケースの第２通路に差し込んで、第２駆動部外に嵌め設けられていることを特徴とする。
【００１１】
本考案に係る工具ジョイントによると、駆動ロッドの第１連接端は多角穴であり、第２回転部材の第２駆動部は、多角柱であり、径方向に沿って規制溝が設けられており、前スリーブは、駆動部材の外スリーブにスライド可能に設けられており、駆動ロッドに対して軸方向に沿ってスライド可能であり、駆動部材は、更に、規制機構を備え、規制機構は、規制部材と、規制穴と、を備え、規制穴は、径方向に沿って駆動ロッドの第１連接端に差し込まれ、規制部材は、駆動ロッドと前スリーブとの間に設けられており、前スリーブが駆動ロッドに沿ってスライドするときに、規制部材は、選択的に規制穴を経由して駆動ロッドの内部に伸長及び進入し、更に、第２駆動部の規制溝に伸び、ひいては第２駆動部が駆動ロッドに位置決めされることを特徴とする。
【００１２】
本考案に係る工具ジョイントによると、駆動部材は、更に、弾性部材を備え、弾性部材は、前スリーブと駆動ロッドとの間に設けられており、前スリーブを外へ付勢することを特徴とする。
【００１３】
本考案に係る工具ジョイントによると、前スリーブの内壁には、周方向に沿って伸びる収容溝が設けられており、規制部材は弾性付きのＣリングであり、前スリーブは、より外側に近接する第１位置と、より内側に近接する第２位置との間にスライドすることができ、第１位置へ付勢され、前スリーブが第１位置に位置するときに、収容溝は規制穴からずれて、規制部材の一部が規制穴を経由して駆動ロッドの内部に伸長及び進入し、前スリーブが第２位置に位置するときに、収容溝は規制穴の位置に対応して、規制部材の一部が、収容溝に進入し、駆動ロッドの内部に伸長及び進入しないことを特徴とする。
【００１４】
本考案に係る工具ジョイントによると、規制穴は、第１連接端の多角穴における、隣接する二つの面を跨ることを特徴とする。
【００１５】
本考案に係る工具ジョイントによると、第１駆動部は多角穴であり、第２駆動部は多角柱であり、第１連接端は多角穴であり、第２連接端は多角柱であることを特徴とする。
【００１６】
本考案に係る工具ジョイントによると、駆動ロッドの第１連接端と第２連接端との間の部分はフレキシブルであることを特徴とする。
【考案の効果】
【００１７】
本考案に係る工具ジョイントによれば、被駆動物との異なる距離に対応して垂直駆動を行うことが可能であるという効果を有する。
【図面の簡単な説明】
【００１８】
【図１】本考案に係る工具ジョイントを示す斜視図である。
【図２】本考案に係る工具ジョイントを示す斜視図である。
【図３】本考案に係る工具ジョイントを示す分解斜視図である。
【図４】本考案に係る工具ジョイントを示す断面図である。
【図５】本考案に係る工具ジョイントを示す断面図である。
【図６】本考案の第２の実施形態に係る工具ジョイントを示す斜視図である。
【図７】本考案の第２の実施形態に係る工具ジョイントを示す分解斜視図である。
【図８】本考案第２の実施形態に係る工具ジョイントを示す断面図である。
【図９】本考案第２の実施形態に係る工具ジョイントを示す断面図である。
【図１０】本考案の第３の実施形態に係る工具ジョイントを示す斜視図である。
【考案を実施するための形態】
【００１９】
以下、本考案の実施の形態を図面に基づいて説明する。
【００２０】
図１から図１０を参照する。本考案に係る工具ジョイントは、ジョイント本体１０と、駆動部材２０、２０ａと、を備える。
【００２１】
ジョイント本体１０は、ケース１１と、第１回転部材１２と、第２回転部材１３と、を備える。ケース１１内に、第１通路１１１と、第２通路１１２とが形成される。第１通路１１１と第２通路１１２とは、互いに垂直であり、一端が連通し、他端がそれぞれケース１１の外部と連通する。第１回転部材１２の両端は、それぞれ、第１ベベルギヤ１２１と第１駆動部１２２である。第２回転部材１３の両端は、それぞれ、第２ベベルギヤ１３１と第２駆動部１３２である。第１回転部材１２は、第１通路１１１に回転可能に設けられている。第２回転部材１３は、第２通路１１２に回転可能に設けられている。第１ベベルギヤ１２１と第２ベベルギヤ１３１とは、互いに噛み合って、第１回転部材１２と第２回転部材１３とを連動して回転できる。駆動部材２０、２０ａは、更に、前スリーブ２１と、駆動ロッド２２、２２ａと、を備える。外スリーブ２１は、駆動ロッド２２、２２ａに相対的に回転可能に嵌合されている。駆動ロッド２２、２２ａの両端は、それぞれ、第１連接端２２１、２２１ａと第２連接端２２２、２２２ａである。第１連接端２２１、２２１ａは、第２駆動部１３２に対して相対的に回転不能であるように連接し、第２駆動部１３２に脱着することができる。
【００２２】
本考案の主な実施形態では、駆動部材２０、２０ａは、更に、前スリーブ２３、２３ａを備える。前スリーブ２３、２３ａは、一部が外スリーブ２１に差し込まれており、一部が駆動ロッド２２、２２ａの第１連接端２２１、２２１ａに嵌め設けられている。前スリーブ２３、２３ａは、ジョイント本体のケース１１の第２通路１１２に差し込まれて、第２駆動部１３２外に嵌め設けられている。これにより、第２駆動部１３２と第１連接端２２１、２２１ａの連接をガイドすることができ、外スリーブ２１をケース１１と連接する。更に、ロック機構を備えることが好ましい。前記ロック機構は、前記ジョイント本体のケース１１と、前記駆動部材の外スリーブ２１とに設けられており、選択的に前記ジョイント本体のケース１１と前記駆動部材の外スリーブ２１とを相対的に回転不能に固定する。詳細には、前記ロック機構は、ロック部材３０と、制限溝２１１と、を備える。ロック部材３０は、前記ジョイント本体のケース１１の第２通路１１２に近接する開口にスライド可能に設けられており、選択的に一部が前記ジョイント本体のケース１１の外部に位置することができる。制限溝２１１は、前記駆動部材の外スリーブ２１の第１連接端２２１、２２１ａに近接する外壁に設けられている。第１連接端２２１、２２１ａは第２駆動部１３２と連接し、ロック部材３０がスライドして一部が制限溝２１１内に位置する場合には、前記ジョイント本体のケース１１と前記駆動部材の外スリーブ２１とは、相対的に回転できない。
【００２３】
本考案の別の実施形態では、図６から図９に示すように、駆動ロッド２２ａの第１連接端２２１ａは多角穴である。第２回転部材１３の第２駆動部１３２は、多角柱であり、径方向に沿って規制溝１３２１が設けられている。前スリーブ２３ａは、前記駆動部材の外スリーブ２１にスライド可能に設けられており、駆動ロッド２２ａに対して軸方向に沿ってスライド可能である。前記駆動部材は、更に、規制機構を備える。前記規制機構は、規制部材２３２と、規制穴２２１１と、を備える。規制穴２２１１は、径方向に沿って駆動ロッド２２ａの第１連接端２２１ａに差し込まれる。規制部材２３２は、駆動ロッド２２ａと前スリーブ２３ａとの間に設けられている。前スリーブ２３ａが駆動ロッド２２ａに沿ってスライドするときに、規制部材２３２は、選択的に規制穴２２１１を経由して駆動ロッド２２ａの内部に伸張及び進入して、更に、第２駆動部１３２の規制溝１３２１に伸び、ひいては第２駆動部１３２が駆動ロッド２２ａに位置決めされる。詳細には、駆動部材２０ａは、更に、弾性部材２３３を備える。弾性部材２３３は、前スリーブ２３ａと駆動ロッド２２ａとの間に設けられており、前スリーブ２３ａを外へ付勢する。前スリーブ２３ａの内壁には、周方向に沿って伸びる収容溝２３１が設けられている。規制部材２３２は弾性付きのＣリングである。前スリーブ２３ａは、より外側に近接する第１位置と、より内側に近接する第２位置との間にスライドすることができ、前記第１位置へ付勢される。前スリーブ２３ａが前記第１位置に位置するときに、収容溝２３１は規制穴２２１１からずれて、規制部材２３２の一部が規制穴２２１１を経由して駆動ロッド２２ａの内部に伸張及び進入する。前スリーブ２３ａが前記第２位置に位置するときに、収容溝２３１は規制穴２２１１の位置に対応して、規制部材２３２の一部が、収容溝２３１に進入し、駆動ロッド２２ａの内部に伸張及び進入しない。規制穴２２１１は、第１連接端２２１ａの多角穴における、隣接する二つの面を跨ることが好ましい。これにより、定位部材２３２を前記多角穴に容易に差し込んで、第２駆動部１３２を規制することができる。
【００２４】
実際には、第１駆動部１２２、第２駆動部１３２、第１連接端２２１、２２１ａ及び第２連接端２２２、２２２ａの連接方式は、それぞれ各種の従来の工具と同じであり、例えば多角穴、多角柱などである。本考案の主な実施形態では、第１駆動部１２２は、多角穴であり、ドライバーヘッドなどを差し込むことができる。第２駆動部１３２は多角柱である。第１連接端２２１、２２１ａは、多角穴であるため、第２駆動部１３２と回転不能に合わせることができる。第２連接端２２２、２２２ａは、多角柱であり、エア駆動工具またはその他の工具と連接することができるが、本考案はこれに限定されない。
【００２５】
一方、本考案の第２の実施形態では、図６から図９に示すように、駆動ロッド２２ａの第１連接端２２１ａと第２連接端２２２ａとの間の部分はフレキシブルである。すなわち、駆動ロッド２２ａは屈折状でもよい。これにより、工具ジョイントは、駆動力を９０度に曲げることができ、そして駆動工具の作業場所によって角度を調整可能である。このため、被駆動物の位置および方向の規制はなくなる。
【００２６】
使用時に、駆動工具を被駆動物に近接するために、ジョイント本体１０により駆動工具および被駆動物と直接に連接する。すなわち、第２駆動部１３２に駆動工具を直接に連接して、被駆動物に第１駆動部１２２を連接する。これにより、直接に垂直駆動して回転することができる。空間の制限などの原因により、駆動工具を被駆動物に近づけることができない場合には、第２駆動部１３２に駆動部材２０、２０ａを連接して、駆動部材２０、２０ａの第２連接端２２２、２２２ａに駆動工具を連接すると、より大きい距離で垂直駆動を行うことができる。駆動部材の外スリーブ２１は、ロック部材３０に位置決めされるため、ジョイント本体１０に対して回転できない。空間が狭くて曲がる場合には、駆動ロッド２２ａのフレキシブルな駆動部材２０ａを、駆動工具とジョイント本体１０との間に設置し、規制機構により、駆動部材２０ａがジョイント本体１０から不意に離脱することを回避できるため、駆動のスムーズ及び安全を確保できる。
【００２７】
もちろん、図１０に示すように、従来の連接ロッド４０にジョイント本体１０を直接に連接してもよい。これにより、従来の連接ロッド４０の駆動の方向を変更する効果を得ることができる。
【００２８】
このように、本考案に係る工具ジョイントによれば、脱着可能で取り換え可能な駆動部材を利用することにより、駆動の距離を調節する効果を得ることができる。これにより、ジョイント本体は、直接に垂直駆動でき、そしてニーズに対応して適当の長さ又はフレキシブルな駆動部材を交換することができるため、利用が極めて便利である。
【００２９】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【符号の説明】
【００３０】
１０    ジョイント本体
１１    ケース
１２    第１回転部材
１３    第２回転部材
２０、２０ａ    駆動部材
２１  外スリーブ
２２、２２ａ    駆動ロッド
２３、２３ａ    前スリーブ
３０    ロック部材
４０    連接ロッド
１１１    第１通路
１１２    第２通路
１１３    スライド溝
１２１    第１ベベルギヤ
１２２    第１駆動部
１３１    第２ベベルギヤ
１３２    第２駆動部
２１１    制限溝
２２１、２２１ａ    第１連接端
２２２、２２２ａ    第２連接端
２３１    収容溝
２３２    規制部材
２３３    弾性部材
１３２１    規制溝
２２１１    規制穴
【図１】
0003224493.tif 000003
【図２】
0003224493.tif 000004
【図３】
0003224493.tif 000005
【図４】
0003224493.tif 000006
【図５】
0003224493.tif 000007
【図６】
0003224493.tif 000008
【図７】
0003224493.tif 000009
【図８】
0003224493.tif 000010
【図９】
0003224493.tif 000011
【図１０】
0003224493.tif 000012